(57)【要約】【課題】アングル映像の再生中に受けたアングル切替え指示に応じて自動的に切り替え先のアングル映像のアングルブロックの先頭セルから再生することができるＤＶＤ再生装置を提供する。【解決手段】本発明の一実施形態に係るＤＶＤ再生装置１０は、複数のアングル映像により構成されたアングルブロックを含む映像データが記録されたＤＶＤディスクの映像データを再生するＤＶＤ再生装置１０であって、指示受付部３１、頭出し部３３および再生部３４を備える。指示受付部３１は、アングルブロックを構成する所定のアングル映像に再生対象を切り替えるための指示であるアングル切替え指示をユーザから本体入力部２１または入力部４１を介して受け付ける。頭出し部３３は、アングル切替え指示に応じて、所定のアングル映像を構成する複数のセルのうちのアングルブロックの先頭のセルを検索する。再生部３４は、頭出し部３３により検索された所定のアングル映像のアングルブロックの先頭のセルの最初のデータから再生を行う。【選択図】  図１
2014071915.tif 000002
【特許請求の範囲】
【請求項１】
複数のアングル映像により構成されたアングルブロックを含む映像データが記録されたＤＶＤディスクの前記映像データを再生するＤＶＤ再生装置であって、
前記アングルブロックを構成する所定のアングル映像に再生対象を切り替えるための指示であるアングル切替え指示をユーザから入力部を介して受け付ける指示受付部と、
前記アングル切替え指示に応じて、前記所定のアングル映像を構成する複数のセルのうちの前記アングルブロックの先頭のセルを検索する頭出し部と、
前記頭出し部により検索された前記所定のアングル映像の前記アングルブロックの先頭のセルの最初のデータから再生を行う再生部と、
を備えたＤＶＤ再生装置。
【請求項２】
前記ＤＶＤディスクは、
前記複数のアングル映像を構成するセルのそれぞれについて前記アングルブロックの先頭のセルであるか否かを示すセル情報を記録し、
前記頭出し部は、
前記セル情報にもとづいて、前記所定のアングル映像を構成する複数のセルのうちの前記アングルブロックの先頭のセルを検索する、
請求項１記載のＤＶＤ再生装置。
【請求項３】
前記頭出し部は、
前記アングル切替え指示を受けた際に再生中のセルが、前記アングルブロックを構成する前記所定のアングル映像とは異なる他のアングル映像を構成する複数のセルのうちの１つであると、前記再生中のセルと同一チャプタに属する前記所定のアングル映像のセルを検索し、この検索したセルが前記アングルブロックの先頭のセルであると検索を終了する一方、この検索したセルが前記アングルブロックの先頭のセルでないと前記所定のアングル映像を構成するセルを１つずつ逆上って前記アングルブロックの先頭のセルを検索する、
請求項２記載のＤＶＤ再生装置。
【請求項４】
前記頭出し部は、
前記アングル切替え指示を受けた際に再生中のセルが前記アングルブロックを構成するセルではなく、かつ前記再生中のセルの１つ前のセルが前記アングルブロックを構成するセルであると、前記所定のアングル映像を構成する複数のセルのうち前記アングルブロックの最後のセルを検索するとともにこの最後のセルから前記所定のアングル映像を構成するセルを１つずつ逆上って前記アングルブロックの先頭のセルを検索する、
請求項２または３に記載のＤＶＤ再生装置。
【請求項５】
前記入力部を構成するキーのうち、所定のキーの長押しに対して前記アングル切替え指示機能が割り当てられた、
請求項１ないし４のいずれか１項に記載のＤＶＤ再生装置。
【発明の詳細な説明】
【技術分野】
【０００１】
本発明の実施形態は、ＤＶＤ再生装置に関する。
【背景技術】
【０００２】
ＤＶＤ（Digital Versatile Disk）規格に準拠した光ディスクには、マルチアングル機能を実現可能にデータを記録したものがある。
【０００３】
この種の光ディスクは、たとえば同一の被写体を複数の異なるアングルから撮影した映像（アングル映像）をアングルブロックと呼ばれる形式で記録している。ユーザは、アングルブロックに含まれる複数のアングルから所望のアングルを指定することにより、所望のアングルから撮影した映像を楽しむことができる。
【先行技術文献】
【特許文献】
【０００４】
【特許文献１】特開２００６−２３００００号公報
【発明の概要】
【発明が解決しようとする課題】
【０００５】
ところで、アングルブロックは、スポーツの得点シーンや音楽演奏のクライマックスシーンなど、ユーザの興味を惹きつけるシーンにおいて作成される事が多い。このため、ユーザはアングルブロック中の第１のアングル映像を見た後にすぐに第２のアングル映像をアングルブロックの先頭から見たいと考えるなど、アングルブロック中の異なるアングル映像をアングルブロックの先頭から確認したいと所望する場合がある。
【０００６】
一般に、所定のアングル映像の再生中に他のアングル映像に切り替えるいわゆるアングルチェンジを行う場合、ユーザは、切り替え先のアングルを指定する入力操作を行う。一方、アングルブロックを構成する各アングル映像が複数のセル（たとえば５個）を有する場合であって、アングルブロック先頭のセル以外のセル（たとえば先頭から３個目のセル）を再生中にアングルチェンジを行うと、切り替え先のアングルの同一セル（たとえば先頭から３個めのセル）に再生対象セルが切り替わる。
【０００７】
したがって、所定のアングル映像の再生中に他のアングル映像にアングルチェンジを行う場合、ユーザは、切り替え先のアングルを指定する入力操作を行った後、アングルブロック先頭のセルの頭出しを行うために、複数のセルを逆上る（巻き戻す）ようチャプタダウンを指示する入力操作を複数回行わなければならない場合がある。これは、チャプタダウンを指示する入力指示は、一般に、一度の指示で１つのセルを逆上る（巻き戻す）ようになっているためである。また、この場合、ユーザは、チャプタダウンを指示する入力操作を多く行いすぎてしまい、アングルブロック先頭のセルを通りすぎてさらに前のセルまで戻ってしまう場合もある。
【課題を解決するための手段】
【０００８】
本発明の一実施形態に係るＤＶＤ再生装置は、上述した課題を解決するために、複数のアングル映像により構成されたアングルブロックを含む映像データが記録されたＤＶＤディスクの映像データを再生するＤＶＤ再生装置であって、指示受付部、頭出し部および再生部を備えたものである。指示受付部は、アングルブロックを構成する所定のアングル映像に再生対象を切り替えるための指示であるアングル切替え指示をユーザから入力部を介して受け付ける。頭出し部は、アングル切替え指示に応じて、所定のアングル映像を構成する複数のセルのうちのアングルブロックの先頭のセルを検索する。再生部は、頭出し部により検索された所定のアングル映像のアングルブロックの先頭のセルの最初のデータから再生を行う。
【図面の簡単な説明】
【０００９】
【図１】本発明の一実施形態に係るＤＶＤ再生装置の一例を示すブロック図。
【図２】主制御部のＣＰＵによる機能実現部の構成例を示す概略的なブロック図。
【図３】ＤＶＤディスクに記録されたアングルブロックの一構成例を示す説明図。
【図４】従来のアングル切替え指示を受け付けた際の動作の一例を示す説明図。
【図５】図１に示す主制御部のＣＰＵにより、アングル映像の再生中に受けた頭出しアングル切替え指示に応じて自動的に切り替え先のアングル映像のアングルブロックの先頭セルから再生する際の手順を示すフローチャート。
【図６】本実施形態に係る頭出しアングル切替え指示を受け付けた際の動作の一例を示す説明図。
【図７】本実施形態に係る頭出しアングル切替え指示を受け付けた際の動作の他の例を示す説明図。
【発明を実施するための形態】
【００１０】
本発明に係るＤＶＤ再生装置の実施の形態について、添付図面を参照して説明する。
【００１１】
図１は、本発明の一実施形態に係るＤＶＤ再生装置１０の一例を示すブロック図である。なお、本実施形態に係るＤＶＤ再生装置としては、複数のアングル映像により構成されたアングルブロックを含む映像データが記録された光ディスクの映像データを再生する光ディスク再生装置を用いることができる。以下の説明では、ＤＶＤ再生装置として複数のアングル映像により構成されたアングルブロックを含む映像データが記録されたＤＶＤ−ＶＩＤＥＯ規格に準拠したＤＶＤディスク１の映像データを再生するものを用いる場合の例について示す。
【００１２】
図１に示すように、ＤＶＤ再生装置１０は、ピックアップ部１１、ピックアップ制御部１２、データ再生回路１３およびＰＬＬ制御回路１４を有する。
【００１３】
ピックアップ部１１は、ＤＶＤディスク１にレーザを集光する対物レンズ１５と、ＤＶＤディスク１の記録面に対して垂直（厚さ）方向（フォーカス方向）および水平（半径）方向（トラッキング方向）に対物レンズ１５を移動させる対物レンズ移動部１６と、ＤＶＤディスク１の反射光を検出しこの反射光に応じた出力を行う反射光検出部１７と、を少なくとも有する。
【００１４】
ＤＶＤディスク１は、ＤＶＤ−ＶＩＤＥＯ規格に準拠し、複数のアングル映像により構成されたアングルブロックを含む映像データが記録されるとともに、セル再生情報が記録される。ここで、セル再生情報には、複数のアングル映像を構成するセルのそれぞれについて、アングルブロックの先頭のセルであるか、最後のセルであるか、中間のセルであるかを示す情報が含まれる。
【００１５】
対物レンズ移動部１６は、ピックアップ制御部１２により制御される。この対物レンズ移動部１６は、対物レンズ１５の移動に磁力を用いる場合、コイルやマグネットにより構成することができる。
【００１６】
反射光検出部１７は、ＤＶＤディスク１の反射光を受光可能な位置に一面に並べられた複数の光検出セル（フォトダイオードなど）により構成される。この光検出セルは、ＤＶＤディスク１の記録面によるレーザ反射光をそれぞれの位置で受光し、受光した光の強度に応じた出力をそれぞれ行う。
【００１７】
ピックアップ制御部１２は、ＤＶＤディスク１の記録面によるレーザ反射光の情報を反射光検出部１７から受けてフォーカスエラー（ＦＥ）信号およびトラッキングエラー（ＴＥ）信号を生成し、ＤＶＤディスク１に集光されるレーザがジャストフォーカス（記録面にレーザの焦点があった状態）およびジャストトラック（レーザがトラック中心に位置した状態）の位置となるよう対物レンズ１５を移動させるように対物レンズ移動部１６を制御する。
【００１８】
データ再生回路１３は、ＰＬＬ（Phase Locked Loop）制御回路１４から受けた再生用クロック信号にもとづき、ＤＶＤディスク１の記録データを再生する。
【００１９】
また、ＤＶＤ再生装置１０は、図１に示すように、さらに本体入力部２１、本体表示部２２および主制御部２３を有する。ピックアップ制御部１２、データ再生回路１３、ＰＬＬ制御回路１４、本体入力部２１、本体表示部２２および主制御部２３はバスに接続され、バスを介して相互にデータ通信することができる。
【００２０】
本体入力部２１は、ＤＶＤ再生装置１０の本体筐体のたとえば前面などに設けられる入力装置である。本体入力部２１は、たとえばキーボード、タッチパネル、テンキーなどの一般的な入力装置により構成され、ユーザの操作に対応した操作入力信号を主制御部２３に出力する。
【００２１】
本体表示部２２は、ＤＶＤ再生装置１０の本体筐体のたとえば前面などに設けられる表示装置である。本体表示部２２は、たとえば液晶ディスプレイやＯＬＥＤ（Organic Light Emitting Diode）ディスプレイなどの一般的な表示装置により構成され、主制御部２３の制御に従ってＤＶＤ再生装置１０の動作状態やＤＶＤディスク１の再生映像を表示する。
【００２２】
主制御部２３は、ＣＰＵ、ＲＡＭおよびＲＯＭをはじめとする記憶媒体などにより構成され、この記憶媒体に記憶されたプログラムに従ってＤＶＤ再生装置１０の処理動作を制御する。
【００２３】
主制御部２３のＣＰＵは、ＲＯＭをはじめとする記憶媒体に記憶されたマルチアングル再生制御プログラムおよびこのプログラムの実行のために必要なデータをＲＡＭへロードし、このプログラムに従って、アングル映像の再生中に受けたアングル切替え指示に応じて自動的に切り替え先のアングル映像のアングルブロックの先頭セルから再生するための処理を実行する。
【００２４】
主制御部２３のＲＡＭは、ＣＰＵが実行するプログラムおよびデータを一時的に格納するワークエリアを提供する。主制御部２３のＲＯＭをはじめとする記憶媒体は、ＤＶＤ再生装置１０の起動プログラム、マルチアングル再生制御プログラムや、これらのプログラムを実行するために必要な各種データを記憶する。なお、ＲＯＭをはじめとする記憶媒体は、磁気的もしくは光学的記録媒体または半導体メモリなどの、ＣＰＵにより読み取り可能な記録媒体を含んだ構成を有し、これら記憶媒体内のプログラムおよびデータの一部または全部は電子ネットワークを介してダウンロードされるように構成してもよい。
【００２５】
図２は、主制御部２３のＣＰＵによる機能実現部の構成例を示す概略的なブロック図である。なお、この機能実現部は、ＣＰＵを用いることなく回路などのハードウエアロジックによって構成してもよい。
【００２６】
図２に示すように、主制御部２３のＣＰＵは、マルチアングル再生制御プログラムによって、少なくとも指示受付部３１、ブロック判定部３２、頭出し部３３および再生部３４として機能する。この各部３１〜３４は、ＲＡＭの所要のワークエリアを、データの一時的な格納場所として利用する。また、図３は、ＤＶＤディスク１に記録されたアングルブロックの一構成例を示す説明図である。また、図４は、従来のアングル切替え指示を受け付けた際の動作の一例を示す説明図である。
【００２７】
以下の説明では、図３に示すように、ＤＶＤディスク１にアングル１〜３の３つのアングル映像が記録され、各アングル映像が３つのセルにより構成されているものとする。
【００２８】
いま、アングル３のアングル映像を構成する３つのセルのうちの真ん中のセル（図３のセル１１）を再生中に、たとえば図４のＡの時点において、ユーザから本体入力部２１や入力部４１を介してアングル１へのアングル切替え指示を受けた場合を考える。
【００２９】
この場合、従来の技術では、現在再生中のセルと同一のチャプタに属する切り替え先アングルのセル（上記例ではアングル１のセル９、図４のＢの時点）か、このセルの次のセル（上記例ではアングル１のセル１０）の先頭などへ移動して再生を開始させるようになっている。
【００３０】
一方、アングルブロックは、スポーツの得点シーンや音楽演奏のクライマックスシーンなど、ユーザの興味を惹きつけるシーンにおいて作成される事が多い。たとえばアングルブロックがサッカーのゴールシーンについて作成されている場合、ゴール裏から見たアングルと、メインスタンドから俯瞰して見たアングルと、ボール近辺を拡大したアングルなどの複数のアングルから見た映像によりアングルブロックが構成される。この場合、ユーザは、各アングル映像をアングルブロックの期間の最初から最後までを通して見たいと所望すると考えられる。
【００３１】
しかし、従来の技術では、他のアングル映像の再生中に所望のアングル映像をアングルブロックの期間の最初（図４のＣの時点）から再生したい場合には、図４に示すように、ユーザは、まずアングル切替え指示を行なって所望のアングル映像の途中のセル（図４のＢの時点）へ移動させた後、さらにセルを１つずつ逆上るよう指示する入力操作（チャプタダウン指示）を繰り返す必要がある（図４参照）。また、チャプタダウン指示を多く行いすぎてしまい、アングルブロックよりも前のセルまで逆上ってしまうような誤操作を行なってしまう場合もあり、大変不便である。
【００３２】
そこで、本実施形態に係るＤＶＤ再生装置１０は、ユーザのアングル切替え指示に応じて、自動的に所定のアングル映像を構成する複数のセルのうちのアングルブロックの先頭のセルから再生することができるよう、図２に示すように主制御部２３を構成する。
【００３３】
なお、図３に示した従来のアングル切替え指示の入力操作にともなうアングル切替え機能はそのまま維持してもよい。この場合、所定のアングル映像を構成する複数のセルのうちのアングルブロックの先頭のセルから再生する本実施形態に係る機能を実現する場合の入力操作は、従来のアングル切替え指示とは異なる操作とするとよい。
【００３４】
以下の説明では、従来のアングル切替え機能と区別するため、本実施形態に係る機能を頭出しアングル切替え機能というものとする。
【００３５】
また、頭出しアングル切替え機能は、従来のアングル切替え機能がキーの短押しに割り当てられたキーの長押しや、チャプタダウン機能がキーの短押しに割当てられたキーの長押しに割り当てるなどするとユーザにとって直感的な操作が可能となり、利便性が向上する。また、頭出しアングル切替え機能を複数のキーの同時押しや複数のキーの押下順に対して割り当ててもよい。これらのキー操作と割り当てられる機能とを関連付けた情報は、たとえば主制御部２３のＲＯＭなどの記憶部に記憶される。
【００３６】
主制御部２３の指示受付部３１は、ユーザから本体入力部２１を介して、アングルブロックを構成する所定のアングル映像に再生対象を切り替えるとともに所定のアングル映像のアングルブロックの先頭セルから再生を開始すべき旨の指示（頭出しアングル切替え指示）を受け付ける。
【００３７】
なお、指示受付部３１は、外部のリモートコントローラなどの入力部４１を介してアングル切替え指示を受け付けてもよい。たとえばＤＶＤ再生装置１０が自動車などの車両に設けられる場合には、ハンドルに設けられたステアリングリモコンを入力部４１として用いてもよい。
【００３８】
ブロック判定部３２は、頭出しアングル切替え指示を受けた際に再生中のセルがアングルブロックを構成するセルであるか否かを判定する。また、アングルブロックを構成するセルでないと判定した場合、ブロック判定部３２は、このセルの一つ前のセルがアングルブロックを構成するセルであるか否かを判定する。
【００３９】
頭出し部３３は、頭出しアングル切替え指示に応じて、切り替え先のアングル映像を構成する複数のセルのうちのアングルブロックの先頭のセルを検索する。
【００４０】
具体的には、頭出し部３３は、まず現在再生中のセル（上記例ではアングル３のセル１１）と同一チャプタに属する切り替え先のアングル映像のセル（上記例ではアングル１のセル９）を検索する。この動作は、従来のＤＶＤ再生装置が備える従来のアングル切替え機能により実現できる。続いて、頭出し部３３は、セル再生情報にもとづいて、切り替え先のアングル映像を構成する複数のセルのうちのアングルブロックの先頭のセルまでチャプタダウン動作を自動で行うことにより先頭のセル（上記例ではアングル１のセル６）を検索する。チャプタダウン動作は、従来のＤＶＤ再生装置が備える機能を用いることができる。
【００４１】
再生部３４は、頭出し部３３により検索された切り替え先のアングル映像のアングルブロックの先頭のセルの最初から、映像を再生し、本体表示部２２や外部の表示部４２に表示させる。
【００４２】
次に、本実施形態に係るＤＶＤ再生装置１０の動作の一例について説明する。
【００４３】
図５は、図１に示す主制御部２３のＣＰＵにより、アングル映像の再生中に受けた頭出しアングル切替え指示に応じて自動的に切り替え先のアングル映像のアングルブロックの先頭セルから再生する際の手順を示すフローチャートである。図５において、Ｓに数字を付した符号は、フローチャートの各ステップを示す。
【００４４】
まず、ステップＳ１において、指示受付部３１は、ユーザから本体入力部２１または入力部４１を介して、頭出しアングル切替え指示を受け付ける。
【００４５】
次に、ステップＳ２において、ブロック判定部３２は、頭出しアングル切替え指示を受けた際に再生中のセルがアングルブロックを構成するセルであるか否かを判定する。再生中のセルがアングルブロックを構成するセルである場合はステップＳ３に進む。一方、再生中のセルがアングルブロックを構成するセルではない場合はステップＳ５に進む。
【００４６】
図６は、本実施形態に係る頭出しアングル切替え指示を受け付けた際の動作の一例を示す説明図である。図６は、ステップＳ２でＹＥＳ判定だった場合における動作の一例を説明するための図である。なお、図６には、アングル３のセル１１を再生中（図６のＡの時点）にアングル１への頭出しアングル切替え指示を受けた場合の例について示した。
【００４７】
頭出しアングル切替え指示を受けた際に再生中のセルがアングルブロックを構成するセルであった場合（ステップＳ２のＹＥＳ）、ステップＳ３において、頭出し部３３は、指定された切り替え先のアングル映像のアングルブロックの先頭セルを検索する。
【００４８】
より具体的には、頭出し部３３は、まず現在再生中のセル（図６のＡの時点、アングル３のセル１１）と同一チャプタに属する切り替え先のアングル映像のセル（図６のＢの時点、アングル１のセル９）を検索し、セル再生情報にもとづいて、切り替え先のアングル映像を構成する複数のセルのうちのアングルブロックの先頭のセルまでチャプタダウン動作を自動で行うことにより先頭のセル（図６のＡの時点、アングル１のセル６）を検索する。
【００４９】
次に、ステップＳ４において、再生部３４は、頭出し部３３により検索された、切り替え先のアングル映像を構成する複数のセルのうちのアングルブロックの先頭のセルの最初から再生を開始し、本体表示部２２または表示部４２に再生映像を表示させる。
【００５０】
図７は、本実施形態に係る頭出しアングル切替え指示を受け付けた際の動作の他の例を示す説明図である。図７は、ステップＳ２でＮＯ判定だった場合における動作の一例を説明するための図である。なお、図７には、アングルブロックの次のセル１５を再生中（図７のＤの時点）にアングル１への頭出しアングル切替え指示を受けた場合の例について示した。
【００５１】
頭出しアングル切替え指示を受けた際に再生中のセルがアングルブロックを構成するセルではない場合（ステップＳ２のＮＯ）、ステップＳ５において、ブロック判定部３２は、再生中のセルの１つ前のセルがアングルブロックに属するセルであるか否かを判定する。
【００５２】
再生中のセルの１つ前のセルがアングルブロックに属するセルである場合は、ブロック判定部３２は、頭出しアングル切替え指示において切り替え先に指定されたアングルのアングルブロック最後のセル（図７のアングル１のセル１２）の情報を頭出し部３３に与えてステップＳ３に進む。頭出し部３３は、ステップＳ３において、この切り替え先に指定されたアングルのアングルブロック最後のセルの情報とセル再生情報とにもとづいて先頭セルを検索する。
【００５３】
なお、図７には切り替え先に指定されたアングルのアングルブロック最後のセル（図７のアングル１のセル１２）の情報をブロック判定部３２が頭出し部３３に与える場合の例について示したが、ブロック判定部３２は、直前まで再生していたアングル（切り替え前のアングル）のアングルブロック最後のセル（図７のアングル３のセル１４）の情報を頭出し部３３に与えてもよい。この場合、頭出し部３３は、従来のアングル切替え機能により切り替え前のアングルのアングルブロック最後のセル（図７のアングル３のセル１４）から同一チャプタに属する切り替え先のアングルのアングルブロックのセル（図７のアングル１のセル１２）を検索した後、セル再生情報にもとづいて切り替え先アングルのアングルブロック先頭セルを検索すればよい。
【００５４】
一方、再生中のセルの１つ前のセルがアングルブロックに属するセルではない場合は、一連の手順は終了となる。
【００５５】
以上の手順により、アングル映像の再生中に受けた頭出しアングル切替え指示に応じて自動的に切り替え先のアングル映像のアングルブロックの先頭セルから再生することができる。
【００５６】
本実施形態に係るＤＶＤ再生装置１０は、アングル映像の再生中に受けた頭出しアングル切替え指示に応じて自動的に切り替え先のアングル映像のアングルブロックの先頭セルから再生することができる。このため、ユーザは頭出しアングル切替え指示を行う際に、複数回のチャプタダウン指示を行う手間が省け、大変便利である。
【００５７】
また、頭出しアングル切替え指示機能を所定のキーの長押し、複数のキーの組み合わせ、複数のキーの押下順などに割り当てることにより、ユーザは、非常に簡便な入力操作を行うだけでＤＶＤ再生装置１０に対して頭出しアングル切替え指示を行うことができる。
【００５８】
また、ＤＶＤ再生装置１０による頭出しアングル切替え動作は、従来のアングル切替え機能およびチャプタダウン機能を利用して実現してもよい。この場合、ＤＶＤ再生装置１０は、従来の装置を利用することにより容易に構成することができる。もちろん、従来のアングル切替え機能およびチャプタダウン機能に頼らず、切り替え先アングルの情報およびセル再生情報にもとづいて直接に切り替え先アングルの先頭セルを検索してもよい。
【００５９】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６０】
たとえば、頭出し部３３は、頭出しアングル切替え指示があっても、現在再生中のセルをそのまま再生し続け、現在再生中のセルの再生が終了してから上記頭出しアングル切替え動作を行ない切り替え先アングルの先頭セルにジャンプしてもよい。
【符号の説明】
【００６１】
１  ＤＶＤディスク
１０  ＤＶＤ再生装置
２１  本体入力部
２２  本体表示部
２３  主制御部
３１  指示受付部
３２  ブロック判定部
３３  頭出し部
３４  再生部
４１  入力部
４２  表示部
【図１】
2014071915.tif 000003
【図２】
2014071915.tif 000004
【図３】
2014071915.tif 000005
【図５】
2014071915.tif 000006
【図４】
2014071915.tif 000007
【図６】
2014071915.tif 000008
【図７】
2014071915.tif 000009